(57)【要約】      （修正有）【課題】小型で低音再生可能かつ振動板の破損が発生し難いスピーカを提供する。【解決手段】スピーカ１は、振動板１１０Ａと、振動板１１０Ａを放音方向に振動させる駆動力を、振動板１１０Ａの縁における複数の位置に各々与える複数のアクチュエータ１４０Ａと、振動板１１０Ａの放音方向とは反対側の面を覆うエンクロージャと、振動板１１０Ａと該エンクロージャとに接続されたエッジと、を有する。複数のアクチュエー１４０Ａは、振動板１１０Ａの縁における回転対称な複数の位置に駆動力を与え、振動板１１０Ａは、放音方向から見て矩形状に形成されている。【選択図】図１
2019087819.tif 000002
【特許請求の範囲】
【請求項１】
振動板と、
前記振動板を放音方向に振動させる駆動力を、前記振動板の縁における複数の位置に各々与える複数のアクチュエータと、
を含むことを特徴とするスピーカ。
【請求項２】
前記複数のアクチュエータは、前記振動板の縁における回転対称な複数の位置に前記駆動力を与えることを特徴とする請求項１に記載のスピーカ。
【請求項３】
前記振動板の放音方向とは反対側の面を覆うエンクロージャと、
前記振動板と前記エンクロージャとに接続されたエッジと、を有し、
前記複数のアクチュエータは、前記エンクロージャの外側に設けられていることを特徴とする請求項１または２に記載のスピーカ。
【請求項４】
前記放音方向への直線運動が可能なように前記アクチュエータの可動部を支持する支持部を前記エンクロージャの外側に前記アクチュエータ毎に設けたことを特徴とする請求項３に記載のスピーカ。
【請求項５】
再生音に応じた電気信号を前記アクチュエータに供給する錦糸線を、当該アクチュエータに対応する支持部に沿って配線したことを特徴とする請求項４に記載のスピーカ。
【発明の詳細な説明】
【技術分野】
【０００１】
この発明は、スピーカに関し、特に小型で低音再生可能なスピーカに関する。
【背景技術】
【０００２】
小型のスピーカで迫力のある低音の再生を可能にするには、振動板を大振幅で振動させることが必要となる。スピーカの振動板を大振幅で振動させることを可能にする技術の一例としては特許文献１に開示の技術が挙げられる。特許文献１には、振動板の振動方向を規制する軸および軸受を設けることで、振動板が振動方向以外の方向に動くことを規制し、ボイスコイルが磁気ヨークへ接触する等の問題を発生させることなく、スピーカの振動板を大振幅で振動させることを可能にする技術が開示されている。また、振動板を大振幅で振動させるためにはボイスコイルに大電流を流す必要があり、大電流を流すとボイスコイルの発熱が問題になる。ボイスコイルの発熱を抑える技術としては、特許文献２に開示の技術がある。特許文献３には、振動板を大振幅で振動しても断線しにくいように配線した錦糸線の開示がある。
【先行技術文献】
【特許文献】
【０００３】
【特許文献１】特開２００３−３２４７９５号公報
【特許文献２】特開２０１６−０１００１９号公報
【特許文献３】特開２００６−３４０３１８号公報
【発明の概要】
【発明が解決しようとする課題】
【０００４】
特許文献１に開示の技術では、大振幅を可能にするために非常に長い軸（ポール）と鞘管（スリーブ）が用いられている。滑らかな動きを実現するためには軸と鞘管の双方に非常に高い精度の平滑度、真円度および直線性が要求され、軸や鞘管が少しでも傾くと移動距離が大きくなったときにギャップが擦ってしまう。このため、精密部品や強度の高い部品が多くなり、高価な装置となり易い。なお、特許文献１の第三の実施例ではスリーブの変わりに一組のブッシュが用いられているが、ブッシュに少しでもガタがあると自在鉤の様に摩擦力が発生してしまう。また軸の倒れでギャップが擦る等の基本的な問題点は解決されていない。特許文献２に開示の技術には、ボイスコイルの一部がギャップの外部に位置するため、電気音響変換効率が低下する、といった問題がある。また、特許文献２に開示の技術には、ボイスコイルの一部は依然としてギャップ内に留まるため、冷却効果も限定的になる、といった問題もある。特許文献３に開示の技術では、錦糸線はエッジダンパの表面を這うように敷設され半固定状態になっており、振動板の振動に伴い、錦糸線はエッジダンパに押付けられたり引き離されたりする。このため、錦糸線の共振周波数付近において接触ノイズが発生したり、エッジダンパ―の損傷やリード線の断線を引き起こす可能性がある、といった問題がある。
【０００５】
本発明は以上に説明した課題に鑑みて為されたものであり、小型で低音再生可能かつ振動板の破損が発生し難いスピーカを提供することを目的とする。
【課題を解決するための手段】
【０００６】
上記課題を解決するために本発明は、振動板と、振動板を放音方向に振動させる駆動力を、振動板の縁における複数の位置に各々与える複数のアクチュエータと、を含むことを特徴とするスピーカ、を提供する。本発明においては、振動板を放音方向に振動させる駆動力は振動板の縁における複数の位置に与えられるので振動板に掛かる力が分散される。このため、振動板を大振幅で振動させるために大きな駆動力を振動板に与えても、振動板の破損を回避することができる。
【０００７】
より好ましい態様においては、上記スピーカにおける複数のアクチュエータは、振動板の縁における回転対称な複数の位置に前記駆動力を与えることを特徴とする。また、別の好ましい態様においては、上記スピーカは、振動板の放音方向とは反対側の面を覆うエンクロージャと、振動板とエンクロージャとに接続されたエッジと、を有し、複数のアクチュエータは、エンクロージャの外側に設けられていることを特徴とする。本態様においては、アクチュエータはエンクロージャの外側に設けられ、外部空間に露出している。このため、駆動に伴うアクチュエータの発熱を効率良く放熱させることができる。
【０００８】
より好ましい態様においては、上記スピーカには、放音方向への直線運動が可能なようにアクチュエータの可動部を支持する支持部が、エンクロージャの外側にアクチュエータ毎に設けられていることを特徴とする。本態様によれば、可動部は上記支持部によって支持されるので、振動板を確実に大振幅で直線的に振動させることができ、歪やノイズを低減することができる。
【０００９】
より好ましい態様においては、上記スピーカでは、再生音に応じた電気信号をアクチュエータに供給する信号線である錦糸線を、当該アクチュエータに対応するリンク部に沿って配線したことを特徴とする。本態様によれば、振動板を大振幅で直線的に振動させたときに錦糸線に大きな力が加わることはなく、振動板の振動に起因する錦糸線の断線を回避することができる。
【００１０】
より好ましい態様においては、上記スピーカにおける振動板は放音方向から見て矩形状に形成された平面振動板であり、振動板の外周部に沿ってシート状の部材からなるエッジが設けられる。当該シート状部材は振動板外周部の辺に沿う折り目に沿って屈曲し、折り目に対する屈伸の度合いが変化することにより振動板を振動自在に支持する。
【図面の簡単な説明】
【００１１】
【図１】本発明の一実施形態によるスピーカ１の正面略図である。
【図２】同スピーカ１の側面略図である。
【図３】同スピーカ１の振動板１１０の構成例を示す図である。
【図４】同スピーカ１のエッジ１３０の構成例を示す図である。
【図５】同スピーカ１のアクチュエータ１４０および支持部１５０の接続関係を示す図である。
【図６】同アクチュエータ１４０の磁気回路１４２の構成例を示す斜視図である。
【図７】同アクチュエータ１４０の可動部１４４の構成例を示す斜視図である。
【図８】同支持部１５０の構成例を示す図である。
【発明を実施するための形態】
【００１２】
以下、図面を参照しつつ本発明の実施の形態について説明する。
（Ａ：構成）
図１は、本発明の一実施形態によるスピーカ１の正面略図であり、図２は、同スピーカ１の側面略図である。スピーカ１は、互いに背中合わせに接合されたスピーカユニット１０Ａおよび１０Ｂと、スピーカユニット１０Ａおよび１０Ｂを両者の接合面付近で支持するフレーム２０と、を有する。
【００１３】
スピーカユニット１０Ａは、振動板１１０Ａと、エンクロージャ１２０Ａと、振動板１１０Ａおよびエンクロージャ１２０Ａに接続されたエッジ１３０Ａと、振動板１１０Ａを放音方向（図１および図２におけるＸ方向）に駆動させるアクチュエータ１４０Ａと、支持部１５０Ａと、振動板１１０Ａとアクチュエータ１４０Ａとを接続する接続部材１６０Ａと、を有する。スピーカユニット１０Ｂも、振動板１１０Ｂと、エンクロージャ１２０Ｂと、エッジ１３０Ｂと、アクチュエータ１４０Ｂと、支持部１５０Ｂと、振動板１１０Ｂとアクチュエータ１４０Ｂとを接続する接続部材１６０Ｂと、を有する。図２では、アクチュエータ１４０Ａおよび１４０Ｂと、支持部１５０Ａおよび１５０Ｂと、接続部材１６０Ａおよび１６０Ｂについては、側面側に設けられたもののみ図示されており、他のものの図示は省略されている。
【００１４】
以下では、スピーカユニット１０Ａとスピーカユニット１０Ｂを区別する必要がない場合には、「スピーカユニット１０」と表記する。スピーカユニット１０の構成要素についても同様の表記とする。例えば、振動板１１０Ａと振動板１１０Ｂを区別する必要がない場合には、「振動板１１０」と表記する。なお、図１および図２では、エッジ１３０、アクチュエータ１４０、支持部１５０の詳細な構成の図示は省略されている。エッジ１３０、アクチュエータ１４０および支持部１５０の構成については後に明らかにする。
【００１５】
振動板１１０は、図１に示すように、放音方向から見て正方形状に形成された平面振動板である。図３に示すように、振動板１１０は、振動板本体１１０２と、振動板本体１１０２の周囲を取り囲む外枠１１０４とを有する。振動板本体１１０２は例えばカーボン樹脂で構成されており、外枠１１０４は例えばアルミニウムなどの金属で構成されている。外枠１１０４の四辺には、接続部材１６０をネジ止めするためのネジ孔１１０４ａが振動板１１０の中心軸に対して４回の回転対称な位置に設けられている。詳細については後述するが、振動板１１０は、接続部材１６０を介して上記４回の回転対称な位置の各々に取り付けられた４つのアクチュエータ１４０によって、中心軸と平行な方向に振動するように駆動される。つまり、振動板１１０の中心軸は、スピーカユニット１０Ａの放音方向と平行である。振動板本体１１０２の構成材料はカーボン樹脂に限定されるものではなく、剛性が高く、かつ軽量な素材で形成されていれば良い。振動板本体１１０２については、放音方向に振動させる際に分割振動が発生しないように十分な剛性を有していることが好ましい。
【００１６】
エンクロージャ１２０は、振動板１１０と同じ寸法の正方形状の底面と、当該底面の各辺に沿って起立する側壁とを有する箱状に形成されている。エンクロージャ１２０については樹脂或いは金属等で形成すれば良い。エンクロージャ１２０は、振動板１１０の背面（放音側とは反対側の面）を覆うようにエッジ１３０を介して振動板１１０に接合される。
【００１７】
エッジ１３０は、例えば和紙などのシート状部材を折り畳んで形成されている。エッジ１３０は、振動板１１０の外周とエンクロージャ１２０との間に、当該外周部に沿って設けられるシート状の部材であって、当該シート状の部材は振動板１１０の外周部の辺に沿う所定の折り目に沿って屈曲し、折り目に対する屈伸の度合いが変化することにより振動板を振動自在に支持するものである。エッジ１３０は、振動板１１０の振動に応じて振動し、振動板１１０とエッジ１３０の振動が音圧発生に寄与する。エッジ１３０はその表面積が大きいため、音圧発生効果が大きくなる。エッジ１３０は、本願発明者の出願になる特開２００８−０１６９６０号公報に開示されているエッジと同じ基本構造を有し、さらに補強を図ったものである。図４は、エッジ１３０における振動板１１０の角（コーナ）に対応する部分の拡大図である。図４に示すように、エッジ１３０における振動板１１０の角に対応する部分には、大きな角度まで開閉可能な開閉構造１３０２が設けられている。開閉構造１３０２は、コーナの内側から外側に向かってエンクロージャ１２０と振動板１１０との間で広がる開閉自在の構造となっている。エッジ１３０が折り目に沿って折り曲げられているときは、開閉構造１３０２も折り畳まれており、その開度は小さい。エッジ１３０の直線部分の屈伸が伸びると、それに連動して開閉構造１３０２の開度は大きくなる。図４には、エッジ１３０の直線部分の屈伸が最も伸びた状態が図示されており、この状態において開閉構造１３０２の開度は最大となる。開閉構造１３０２は、コーナの内側から外側に向かって、エンクロージャ１２０と振動板１１０との間で広がる開閉自在な構造となっているため、その開度が大きくなっても形状の撓みは発生せず、振動板１１０の振幅を大きくとることができる。図４では詳細な図示を省略したが、エッジ３０の開閉構造１３０２の各面には、強度を増すために補強板が接着されている。この補強板の形は特開２００８−０１６９６０号公報に開示のエッジの各面と相似で一回り小さく、この補強板を芯材として片面または両面にゴムなどの表皮を接着した構造でも良い。
【００１８】
アクチュエータ１４０は、振動板１１０を振動させるリニアモータである。図１に示すように、本実施形態では、振動板１１０の四辺にアクチュエータ１４０が配され、振動板１１０を放音方向に振動させる駆動力は振動板１１０の中心軸に対して４回の回転対称な位置に与えられる。振動板１１０を放音方向に振動させる駆動力は振動板１１０の縁における回転対称な位置に与えるのは、振動板１１０に掛かる力を均等に分散し、振動板１１０を大振幅で振動させるために大きな駆動力を振動板１１０に与えても、振動板１１０が破損しないようにするためである。
【００１９】
図１に示すように、本実施形態では、アクチュエータ１４０毎に２つの支持部１５０が設けられている。支持部１５０の役割については後に明らかにする。また、本実施形態では、アクチュエータ１４０および支持部１５０は、図１に示すように、エンクロージャ２０の外側に設けられ、外部空間に露出している。このため、本実施形態では、アクチュエータ１４０の駆動に伴って発生する熱を放散させ易く、アクチュエータ１４０を効率良く冷却することができる。
【００２０】
図５は、アクチュエータ１４０および支持部１５０の構成例を示す図である。なお、図５では、図面が煩雑になることを避けるため、アクチュエータ１４０と支持部１５０が夫々１つずつ図示されている。また、図５では、エンクロージャ１２０とエッジ１３０の描画は省略されている。フレーム２０には、支持部１５０を装着するためのアーム２１０と、アクチュエータ１４０を固定するための固定部２２０とが設けられている。アクチュエータ１４０は、一端がフレーム２０に固定される磁気回路１４２と、放射音に応じた電気信号（交流信号）が与えられるコイルを有する可動部１４４とを有する。図５に示すように、可動部１４４は、振動板１１０の外枠１１０４に接続される。
【００２１】
図６は、磁気回路１４２の構成例を示す図である。磁気回路１４２は、上下の壁をなす外側ヨーク１４２０および１４２２と、前後の壁をなす外側ヨーク１４２４ａ、１４２４ｂ、１４２４ｃ、１４２４ｄとにより囲まれ、側方が吹き抜け状態の略直方体の筐体である。ここで、外側ヨーク１４２０および１４２２は、直方体状の磁性体により構成され、外側ヨーク１４２４ａ、１４２４ｂ、１４２４ｃ、および１４２４ｄの各々は、立方体状の磁性体により構成されている。なお、外側ヨーク１４２４ａ、１４２４ｂ、１４２４ｃ、および１４２４ｄの各々を区別する必要がない場合には、「外側ヨーク１４２４」と表記する。
【００２２】
外側ヨーク１４２０および１４２２は、互いに平行であり、所定間隔を空けて対向した平面部を各々有している。この外側ヨーク１４２０および１４２２の平面部間の空間の中央に矩形平板状の磁性体からなる内側ヨーク１４２６が位置している。この内側ヨーク１４２６は、外側ヨーク１４２４ａおよび１４２４ｂ間の隙間から外側ヨーク１４２４ｃおよび１４２４ｄ間の隙間に至っており、その表裏２面の各平面部を外側ヨーク１４２０および１４２２の各平面部に対向させている。内側ヨーク１４２６の外側ヨーク１４２０と対向する面には、各々のＳ極を外側ヨーク１４２０に向け永久磁石１４２８ａ、１４２８ｂおよび１４２８ｃが内側ヨーク１４２６の長手方向に並べて配置される。また、内側ヨーク１４２６の外側ヨーク１４２２と対向する面には、各々のＮ極を外側ヨーク１４２２に向けた永久磁石１４２８ｄ、１４２８ｅおよび１４２８ｆが内側ヨーク１４２６の長手方向に並べて配置される。
【００２３】
外側ヨーク１４２０および１４２２の各々の長手方向の両端には、外側ヨーク１４２４をネジ止めするためのネジ孔が設けられている。内側ヨーク１４２６の長手方向の長さは、外側ヨーク１４２０および１４２２の各々の長手方向の長さよりも、外側ヨーク１４２４の一辺と略同じ長さ分だけ長い。外側ヨーク１４２４において内側ヨーク１４２６に接する面とは反対側の面には、外側ヨーク１４２０或いは１４２２をネジ止めするためのネジ孔が外側ヨーク１４２０および１４２２の平面部間の空間寄り（以下、内側寄り）に設けられている（図６では図示略）。また、外側ヨーク１４２４において内側ヨーク１４２６に接する面とは反対側の面の外側寄りには、内側ヨーク１４２６を挟んで対向する内側ヨーク１４２４をネジ止めするためのネジ孔が設けられている。磁気回路１４２は、内側ヨーク１４２６を間に挟んで互いにネジ止めされた外側ヨーク１４２４ａおよび１４２４ｂを外側ヨーク１４２０および１４２２で挟んでネジ止めし、かつ内側ヨーク１４２６を間に挟んで互いにネジ止めされた外側ヨーク１４２４ｃおよび１４２４ｄを、外側ヨーク１４２０および１４２２で挟んでネジ止めすることで構成される。
【００２４】
図７は、可動部１４４の構成例を示す斜視図である。可動部１４４は、所定間隔を空けて対向する前壁１４４０および後壁１４４２を有する。前壁１４４０には、矩形状の貫通孔１４４０ａ、１４４０ｂ、および１４４０ｃが当該前壁１４４０の長手方向に並べて設けられている。後壁１４４２にも貫通孔１４４０ａ、１４４０ｂ、および１４４０ｃの各々に対応する矩形状の貫通孔１４４２ａ、１４４２ｂおよび１４４２ｃが当該後壁１４４２の長手方向に並べて設けられている。なお、図７では、貫通孔１４４２ａおよび１４４２ｃの図示は省略されている。前壁１４４０と後壁１４４２の間には、貫通孔１４４０ａおよび１４４２ａに対応する位置にコイル保持部１４４４ａが設けられており、貫通孔１４４０ｃおよび１４４２ｃに対応する位置にコイル保持部１４４４ｂが設けられている。コイル保持部１４４４ａおよびコイル保持部１４４４ｂの各々には、スピーカ１に放射させる音に応じた電気信号（交流信号）が供給されるコイルが巻かれる。なお、図７では、コイルの描画は省略されている。
【００２５】
また、前壁１４４０の長手方向の両端には、板状の振動板取付け部１４４６がそれぞれ起立している。振動板取付け部１４４６の先端には当該振動板取付け部１４４６および前壁１４４０の両者に直交する方向に延びる突部が設けられており、当該突部には、直方体状の接続部材１６０の一端をネジ止めするための２つのネジ孔が並べて設けられている。接続部材１６０の他端には、振動板１１０の外枠１１０４がネジ止めされる。可動部１４４の長手方向の両端には、前壁１４４０から後壁１４４２に至る薄い板状の支持部取付け部１４４８が可動部１４４の短手方向に等間隔に並べて３つずつ設けられている。支持部取付け部１４４８の中央付近には、その短手方向に突出する突部が設けられており、当該突部には支持部１５０を回転可能に締結するボルトナットを貫通させるための通し孔が設けられている。
【００２６】
アクチュエータ１４０は以下の要領で構成される。例えば、磁気回路１４２の外側ヨーク１４２４ａおよび１４２４ｂ側をフレーム２０の固定部２２０にネジ止め等で固定する場合、外側ヨーク１４２４ｃおよび１４２４ｄを取り外し、後壁１４４２側から前壁１４４０へ向けて外側ヨーク１４２０を貫通孔１４４２ａおよび１４４０ａを通過させ、内側ヨーク１４２６を貫通孔１４４２ｂおよび１４４０ｂを通過させ、外側ヨーク１４２２を貫通孔１４４２ｃおよび１４４０ｃを通過させて磁気回路１４２に可動部１４４を装着する。その後、外側ヨーク１４２４ｃおよび１４２４ｄを外側ヨーク１４２０および１４２２にネジ止めする。これにより、アクチュエータ１４０が形成される。スピーカユニット１０では、放射音に対応する電気信号をアクチュエータ１４０の可動部１４４に設けられたコイルに供給することで、当該コイルの発生させる磁界と永久磁石１４２８ａ〜１４２８ｆの発生させる磁界の相互作用により、可動部１４４が図５におけるＸ方向に振動する。これにより、可動部１４４に接続された振動板１１０がＸ方向に振動し、上記電気信号に応じた音が放射される。
【００２７】
図８は、スピーカ１の支持部１５０の構成例を示す斜視図である。支持部１５０は直線運動機構である。本実施形態の支持部１５０は、リンク１５０２ａ、１５０２ｂ、１５０４ａ、１５０４ｂ、１５０４ｃ、１５０４ｄおよび１５０５ｅの７本のリンクを有するポースリエの機構（図５参照）を向い合せに２つ含む構成となっている。ポースリエの機構であるから、リンク１５０２ａ、１５０２ｂ、１５０４ａ、１５０４ｂ、１５０４ｃおよび１５０４ｄの寸法は、図５における点Ａと点Ｂ間の距離ＡＢと点Ａと点Ｃ間の距離ＡＣは等しく、また、点Ｐと点Ｂ間の距離ＰＢと、点Ｐと点Ｃ間の距離ＰＣと、点Ｑと点Ｂ間の距離ＱＢと、点Ｑと点Ｃ間の距離ＱＣが等しくなるように、定められている。そして、原点Ｏと点Ｐとの距離ＯＰと原点Ｏと点Ａとの距離ＯＡが等しくなるように定められている。この条件が守られていれば、リンク１５０２ａや１５０２ｂのように各点を結ぶリンクは必ずしも直線でなくても構わない。
【００２８】
上記ポースリエの機構における点Ａは、フレーム２０から突出するアーム２１０の一端に回動自在にネジ止めされる。上記ポースリエの機構における点Ｐはリンク１５０４ｅの一端に回動自在にネジ止めされ、リンク１５０４ｅの他端はアーム２１０の一端に回動自在にネジ止めされる。そして、上記ポースリエの機構における点Ｑは、アクチュエータ１４０の可動部１４４の支持部取り付け部１４４８に回動自在にネジ止めされる。
【００２９】
ポースリエの機構であるから、リンク１５０２ａおよび１５０２ｂを回動させた場合、点Ｑは図５におけるＸ方向に延びる直線に沿って移動する。つまり、支持部１５０は、放音方向（Ｘ方向）への直線運動が可能なように可動部１４４を支持する直線運動機構である。このように、可動部１４４は支持部１５０によって直線運動可能なように支持されるため、振動板１１０を大振幅で振動させても、歪やノイズの発生を低減することができる。コイル１４４４で発生した駆動力は接続部材やアクチュエータ１４０を介して振動板１１０に加えられる。このため、支持部１５０を構成するリンクは振動系の自重を支えることとアクチュエータ１４０の可動部１４４を直線運動させるための位置規制ができればよく、駆動力の伝達機能は必要ない。したがって本実施形態のリンク機構の強度は自重の保持と位置規制に耐えられる程度であればよく、はめ込み式の樹脂部品や押し出し一体成形の樹脂部品などで廉価に構成可能である。
【００３０】
また、本実施形態では、放射音に対応する電気信号をアクチュエータ１４０の可動部１４４に設けられたコイルに供給する錦糸線１７０は、支持部１５０に沿って配線されている。より詳細に説明すると、コイルから引き出された錦糸線１７０は、図５に示すように、リンク１５０４ｂとリンク１５０４ｃの接続部（節）を略円弧状に跨ぐ様にリンク１５０４ｂの中央付近にはんだ付け等により固定され（図５では、●ではんだ付け箇所を明記）、さらにリンク１５０２ａ、リンク１５０４ａおよびリンク１５０４ｂの接続部（節）を略円弧状に跨ぐようにリンク１５０２ａの当該接続部付近にはんだ付けにより固定され、リンク１５０２ａとリンク１５０２ｂの接続部（節）を略円弧状に跨ぐようにリンク１５０２ａの当該接続部付近にはんだ付けにより固定され、その先端は端子板にはんだ付けで固定されている。錦糸線１７０のリンク１５０２ａに沿う部分は接着剤でリンク１５０２ａに固定されている。なお、リンク１５０２ａをガラスエポキシ基板で構成する場合には、錦糸線１７０のリンク１５０２ａに沿う部分をプリント配線にしても良い。従来の錦糸線は振動板の振動に応じて縄跳び状に振動していたが、本実施形態では、錦糸線１７０は各リンクの接続部を円弧状に跨ぐように配線されているため、錦糸線１７０は巻バネ状の運動をする。このため、振動板１１０の振動に際して支持部１５０の各リンク間の角度が変化しても、錦糸線１７０の形状は大きく変化せず、錦糸線１７０の断線を防ぐことが出来る。
【００３１】
このような構成としたため、本実施形態のスピーカ１では、振動板１１０の四辺にアクチュエータ１４０が配され、振動板１１０を放音方向に振動させる駆動力は振動板１１０の縁における回転対称な位置に与えられる。このため、振動板１１０に掛かる力が均等に分散され、振動板１１０を大振幅で振動させるために大きな駆動力を振動板１１０に与えても、振動板１１０の破損を回避することができる。加えて、駆動力が振動板１１０の外周部において回転対称な位置に加わるため、振動板１１０が中心軸に対して傾くのを防ぐ効果がある。
【００３２】
また、本実施形態のスピーカ１では、アクチュエータ１４０の可動部１４４は、直線運動可能なように支持部１５０によって支持されるため、歪やノイズの発生を低く抑えつつ、振動板１１０を大振幅で直線的に振動させることが可能になる。このように、本実施形態によれば、振動板１１０を大振幅で振動させることができるため、振動板１１０の面積を小さくしても迫力のある低音を再生することができる。つまり、本実施形態によれば、小型で低音再生可能かつ振動板や錦糸線の破損が発生し難いスピーカを提供することができる。
【００３３】
（Ｂ：変形）
以上、本発明の一実施形態について説明したが、この実施形態に以下の変形を加えても勿論良い。
（１）上記実施形態のスピーカ１は、互いに背中合わせに接合したスピーカユニット１０Ａとスピーカユニット１０Ｂを有していたが、１つのスピーカユニット１０をフレーム２０に固定して本発明のスピーカを構成しても勿論良い。また、上記実施形態では、アクチュエータ１４０毎に支持部１５０を２つ設けたが、１つのアクチュエータ１４０に対して支持部１５０を１つだけ設けても良く、また、１つのアクチュエータ１４０に対して３つ以上の支持部１５０を設けても良い。また、上記実施形態では、振動板１１０を駆動するアクチュエータ１４０として、磁気回路１４２と可動部１４４とにより構成されるリニアアクチュエータを用いたが、他の構成のリニアアクチュエータを用いても良い。
【００３４】
（２）上記実施形態のスピーカ１における振動板１１０は、放音方向から見て正方形状の平面振動板であったが、放音方向から見て正多角形状の平面振動板或いは長方形状など矩形状の平面振動板であっても良く、また円形状或いは楕円形状の平面振動板であって良い。なお、振動板１１０の形状が円形や正多角形の場合、円形振動板の外周部や多角形の内接円に内接するように正方形のエッジ（上記実施形態のエッジ１３０）を取付けても良い。また、振動板１１０は、平面振動板には限定されず、ドーム型の振動板であっても良い。要は、振動板の縁における回転対称な位置に駆動力を与えられる態様であれば良い。
【００３５】
（３）上記実施形態では、振動板１１０の縁における回転対称な４つの位置に当該振動板１１０を振動させる駆動力を与えたが、上下或いは左右など振動板１１０の対称軸を中心とする２回の回転対称の２つの位置に駆動力を与えるようにしても良い。また、振動板１１０に駆動力を与える位置は、振動板１１０の縁における回転対称な複数の位置には限定されず、振動板１１０の縁における複数の位置であれば良い。振動板１１０の縁における複数の位置に駆動力を与える態様であれば、振動板１１０に掛かる力が分散され、振動板１１０を大振幅で振動させるために大きな駆動力を振動板１１０に与えても、振動板１１０の破損を回避することができるからである。また、上記実施形態では、振動板１１０を駆動するアクチュエータ１４０をエンクロージャ１２０の外側に設けた。この態様に比較してアクチュエータ１４０の冷却効率は低くなるが、エンクロージャ１２０の内側にアクチュエータ１４０を設けても良い。
【００３６】
（４）上記実施形態のスピーカ１には、放音方向への直線運動が可能なようにアクチュエータ１４０の可動部１４４を支持する支持部１５０がエンクロージャ２０の外側にアクチュエータ１４０毎に設けられており、可動部１４０の直線運動に歪みが発生することを回避できた。しかし、高精度の直動機構を内部に有したリニアアクチュエータによってアクチュエータ１４０と支持部１５０を置き換えることは可能である。
【００３７】
（５）振動板１１０の位置を検出する位置センサと振動板１１０の振動の加速度を検出する加速度センサを振動板や振動板と共に振動する部分に設けたり、圧力センサなどをエンクロージャ内部に設けて、センサの出力に応じたモーションフィードバックを行っても良い。
【００３８】
（６）上記実施形態では、直線運動可能な支持部１５０としてポースリエの機構を用いたが、直線運動可能であれば他の機構を用いても良い。例えば、支持部１５０としてハートの機構を用いても良く、或いは、ポースリエの機構とハートの機構を組合わせた機構を用いても良い。
【符号の説明】
【００３９】
１…スピーカ、１０，１０Ａ，１０Ｂ…スピーカユニット、１１０，１１０Ａ，１１０Ｂ…振動板、１２０，１２０Ａ，１２０Ｂ…エンクロージャ、１３０，１３０Ａ，１３０Ｂ…エッジ、１４０，１４０Ａ，１４０Ｂ…アクチュエータ、１５０，１５０Ａ，１５０Ｂ…支持部、１６０，１６０Ａ、１６０Ｂ…接続部材、１７０…錦糸線、２０…フレーム。
【図１】
2019087819.tif 000003
【図２】
2019087819.tif 000004
【図３】
2019087819.tif 000005
【図４】
2019087819.tif 000006
【図５】
2019087819.tif 000007
【図６】
2019087819.tif 000008
【図７】
2019087819.tif 000009
【図８】
2019087819.tif 000010